【手続補正書】
【提出日】平成23年7月7日(2011.7.7)
【手続補正１】
【補正対象書類名】特許請求の範囲
【補正対象項目名】全文
【補正方法】変更
【補正の内容】
【特許請求の範囲】
【請求項１】
ネットワークに接続されている一つ以上のホストコンピュータおよび一つ以上のプリンタを含んでいるシステムにおいて、第１のプリンタを第１のホストコンピュータに再接続するための方法であって、
（ａ）ユーザの手動による命令に応答し、前記第１のプリンタが、前記第１のプリンタに対して動的に割り当てられかつ前記第１のプリンタのメモリに格納されている前記第１のプリンタのネットワークアドレスを含んでいる再接続イベントを生成するステップ、
（ｂ）前記第１のプリンタが、前記ネットワークを通して前記再接続イベントを送信し、前記一つ以上のホストコンピュータに伝達するステップ、
（ｃ）前記第１のホストコンピュータが、前記再接続イベントを受信し、前記第１のプリンタの前記ネットワークアドレスを抽出するステップ、
（ｄ）前記第１のホストコンピュータが、前記第１のプリンタの前記抽出されたネットワークアドレスを使用し、前記第１のプリンタに再接続するステップ
を有することを特徴とする方法。
【請求項２】
（ｅ）前記第１のホストコンピュータが、前記第１のプリンタに対して再接続肯定応答メッセージを送信するステップ、および、
（ｆ）前記第１のプリンタが、前記再接続肯定応答メッセージを受信するステップ
をさらに有することを特徴とする請求項１に記載の方法。
【請求項３】
前記ステップ（ｂ）は、前記ネットワークを通して、全てのホストコンピュータに対して再接続イベントをブロードキャストするステップを含んでいることを特徴とする請求項１に記載の方法。
【請求項４】
ネットワークに接続されている一つ以上のホストコンピュータおよび一つ以上のプリンタを含んでいるシステムにおいて、第１のプリンタを第１のホストコンピュータに再接続するための方法であって、
（ａ）前記第１のホストコンピュータが、前記第１のプリンタを含んでいる複数の候補プリンタの情報を、それらのネットワークアドレスと共に取得するステップ、
（ｂ）前記第１のホストコンピュータが、ユーザインターフェース上に前記候補プリンタのリストを表示するステップ、
（ｃ）前記第１のホストコンピュータが、前記候補プリンタの各々に対して、互いの時間が重ならないように点滅信号を順次送信するステップ、
（ｄ）前記第１のプリンタが、前記ホストコンピュータから自己に対して送信された点滅信号を受信することに応答し、ユーザが認識可能にアラームを生成するステップ、
（ｅ）前記ホストコンピュータが、前記ユーザインターフェースを介して前記候補プリンタの１つをユーザが選択することを受け付けるステップ、および、
（ｆ）前記ホストコンピュータが、前記選択されたプリンタに再接続するステップ、
を有することを特徴とする方法。
【請求項５】
前記アラームは、音響アラームあるいは視覚アラームであることを特徴とする請求項４に記載の方法。
【請求項６】
前記第１のホストコンピュータによって送信される前記点滅信号は、アラームパターンコードを含んでおり、
前記第１のプリンタによって生成される前記アラームは、前記アラームパターンコードによって決定されるパターンを有することを特徴とする請求項４に記載の方法。
【請求項７】
前記アラームは、前記アラームパターンコードによって決定される順序どおりに点滅する複数のボタンによって生成されることを特徴とする請求項６に記載の方法。
【請求項８】
前記ステップ（ａ）において、前記第１のホストコンピュータは、サービスロケーションプロトコルを使用し、前記候補プリンタおよびそれらのネットワークアドレスを取得することを特徴とする請求項４に記載の方法。
【請求項９】
プリンタであって、
プロセッサと、
前記プリンタに動的に割り当てられた前記プリンタのネットワークアドレスであるＩＰを格納するためのメモリと、
前記プロセッサに接続されている手動入力装置と、
前記プリンタをネットワークに接続するためのネットワークインターフェースとを有しており、
前記プロセッサは、前記手動入力装置からの入力に応答して再接続イベントを生成し、前記再接続イベントを、前記ネットワークインターフェースを経由してネットワークに送信するようにプログラムされており、
前記再接続イベントは、前記プリンタのネットワークアドレスを含んでいる
ことを特徴とするプリンタ。
【請求項１０】
前記プロセッサは、所定の期間の間、あるいは、再接続肯定応答メッセージが前記ネットワークから受信されるまで、前記ネットワークに対する前記再接続イベントの送信を繰り返すようにプログラムされている
ことを特徴とする請求項９に記載のプリンタ。
【請求項１１】
前記ホストコンピュータから点滅信号を受信することに応答して、アラームを生成するためのアラームジェネレータを、さらに有することを特徴とする請求項９に記載のプリンタ。
【請求項１２】
前記アラームジェネレータは、音響アラームあるいは視覚アラームを生成することを特徴とする請求項１１に記載のプリンタ。
【請求項１３】
前記アラームジェネレータは、点灯あるいは点滅が可能である一つ以上の点滅ボタンを含んでいることを特徴とする請求項１１に記載のプリンタ。
【請求項１４】
前記第１のホストコンピュータからの前記点滅信号は、アラームパターンコードを含んでおり、
前記アラームジェネレータは、前記アラームパターンコードによって決定される順序どおりに点滅が可能である一つ以上の点滅ボタンを含んでいることを特徴とする請求項１１に記載のプリンタ。
【請求項１５】
ホストコンピュータを制御するためのコンピュータプログラムであって、プリンタを再接続するためのプロセスを実行させるように構成されており、
前記ホストコンピュータおよび前記プリンタは、ネットワークに接続されており、
前記プリンタは、前記ネットワークを通して再接続イベントを送信可能であり、
前記再接続イベントは、前記プリンタのネットワークアドレスを含んでおり、
前記プロセスは、
（ａ）前記ネットワークを経由して前記プリンタから前記再接続イベントを受信するステップ、
（ｂ）前記再接続イベントから、前記プリンタの前記ネットワークアドレスを抽出するステップ、および、
（ｃ）前記プリンタの前記抽出されたネットワークアドレスを使用し、前記プリンタに再接続するステップ
を有することを特徴とするコンピュータプログラム。
【請求項１６】
前記プロセスは、ネットワークを通して再接続肯定応答メッセージを送信するステップを、さらに有することを特徴とする請求項１５に記載のコンピュータプログラム。
【請求項１７】
ホストコンピュータを制御するためのコンピュータプログラムであって、プリンタを再接続するためのプロセスを実行させるように構成されており、
前記ホストコンピュータおよび前記プリンタは、ネットワークに接続されており、
前記プロセスは、
（ａ）前記第１のプリンタを含んでいる複数の候補プリンタの情報をそれらのネットワークアドレスと共に取得するステップ、
（ｂ）ユーザインターフェース上に前記候補プリンタのリストを表示するステップ、
（ｃ）候補プリンタの各々に対して、互いの時間が重ならないように点滅信号を順次送信するステップ、
（ｄ）前記候補プリンタの１つを示しているユーザによる選択を前記ユーザインターフェースを介して受け付けるステップ、および、
（ｅ）前記選択された候補プリンタに再接続するステップ
を有することを特徴とするコンピュータプログラム。
【請求項１８】
前記ステップ（ｃ）において、前記点滅信号は、プリンタによって生成されるアラームパターンを定義するアラームパターンコードを含んでいることを特徴とする請求項１７に記載のコンピュータプログラム。
【請求項１９】
前記ステップ（ａ）において、前記候補プリンタおよびそれらのネットワークアドレスは、サービスロケーションプロトコルを使用して取得されることを特徴とする請求項１７に記載のコンピュータプログラム。
【請求項２０】
請求項１５〜１９のいずれか１項に記載のコンピュータプログラムを記録したコンピュータ読み取り可能な記録媒体。
【手続補正２】
【補正対象書類名】明細書
【補正対象項目名】０００６
【補正方法】変更
【補正の内容】
【０００６】
具体的に表現されかつ広範に説明されているこれらおよび／または他の目的を達成するために、本発明は、ネットワークに接続されている一つ以上のホストコンピュータおよび一つ以上のプリンタを含んでいるシステムにおいて、第１のプリンタを第１のホストコンピュータに再接続するために使用される方法を提供し、当該方法は、（ａ）ユーザの手動による命令に応答し、前記第１のプリンタが、前記第１のプリンタに対して動的に割り当てられかつ前記第１のプリンタのメモリに格納されている前記第１のプリンタのネットワークアドレスを含んでいる再接続イベントを生成するステップ、（ｂ）前記第１のプリンタが、前記ネットワークを通して前記再接続イベントを送信し、前記一つ以上のホストコンピュータに伝達するステップ、（ｃ）前記第１のホストコンピュータが、前記再接続イベントを受信し、前記第１のプリンタの前記ネットワークアドレスを抽出するステップ、（ｄ）前記第１のホストコンピュータが、前記第１のプリンタの前記抽出されたネットワークアドレスを使用し、前記第１のプリンタに再接続するステップを有する。
【手続補正３】
【補正対象書類名】明細書
【補正対象項目名】０００７
【補正方法】変更
【補正の内容】
【０００７】
本発明はまた、ネットワークに接続されている一つ以上のホストコンピュータおよび一つ以上のプリンタを含んでいるシステムにおいて、第１のプリンタを第１のホストコンピュータに再接続するために使用される方法を提供し、当該方法は、（ａ）前記第１のホストコンピュータが、前記第１のプリンタを含んでいる複数の候補プリンタの情報を、それらのネットワークアドレスと共に取得するステップ、（ｂ）前記第１のホストコンピュータが、ユーザインターフェース上に前記候補プリンタのリストを表示するステップ、（ｃ）前記第１のホストコンピュータが、前記候補プリンタの各々に対して、互いの時間が重ならないように点滅信号を順次送信するステップ、（ｄ）前記第１のプリンタが、前記ホストコンピュータから自己に対して送信された点滅信号を受信することに応答し、ユーザが認識可能にアラームを生成するステップ、（ｅ）前記ホストコンピュータが、前記ユーザインターフェースを介して前記候補プリンタの１つをユーザが選択することを受け付けるステップ、および、（ｆ）前記ホストコンピュータが、前記選択されたプリンタに再接続するステップ、を有する。